(57)【要約】      （修正有）【課題】子の成長の記録を誕生前の安産祈願から七五三に至るまで、節目ごとに誰でも順序だって簡単に記入し、記念の写真を添付するとともに親の願いを託すことのできる手帳を提供する。【解決手段】携帯に便利な大きさの表紙・裏表紙と、この表紙・裏表紙に綴じ込んで固着されている複数の綴じ込み頁とから構成される手帳１において、綴じ込み頁の見開きの２枚の頁にわたって、子の誕生前後から７歳前後までの間の各願い事、祝事のうちの一つの願い事、あるいは祝い事について、写真貼付欄２、出来事・感想記載欄３が設けられ、その願い事、あるいは祝事の言われ４が記載されており、子の成長の順に写真と記録を整理することができるようにした。【選択図】図３
0003117817.tif 000002
【実用新案登録請求の範囲】
【請求項１】
携帯に便利な大きさの表紙・裏表紙と、この表紙・裏表紙に綴じ込んで固着されている複数の綴じ込み頁とから構成される手帳において、綴じ込み頁の見開きの２枚の頁にわたって、子の誕生前後から７歳前後までの間の各願い事、祝事のうちの一つの願い事、あるいは祝い事について、写真貼付欄、出来事・感想記載欄が設けられ、その願い事、あるいは祝事の言われが記載されており、子の成長の順に写真と記録を整理することができるようになっていることを特徴とする手帳。
【請求項２】
その表紙には、おまいり手帳なるタイトル、神社の社殿、安産の象徴である犬のイラスト、及び願掛け鈴が描かれ、手帳の２頁目に子の写真貼付欄を配置し、３頁目からは、安産祈願、産湯、お七夜・命名、初宮、お食い初め、初節句、七五三の頁を設け、さらに、親の子に対する願いの頁を設けたことを特徴とする請求項１記載の手帳。
【考案の詳細な説明】
【技術分野】
【０００１】
本考案は、安産や子の健やかな成長を願って神社に参拝する親等が所持する手帳に関するものである。
【背景技術】
【０００２】
子を授かることや、安産及び子の健やかな成長は、親や家族の願いであり、懐妊前から、子が７歳前後になるまで、節目となる祈願や祝いの行事の日（安産祈願、お七夜、初宮、初節句、七五三等）に、神社に参拝して祈願したり、自宅でお祝いをすることが、わが国では昔から一般的習俗として行われている。  
そして、その際に各家族が写真を撮影し、アルバム等で整理することもなされている。
【０００３】
しかし、上記アルバム等の整理方法は、各人様々であり、子の成長の順に、簡潔に整理することは容易ではなかった。
【０００４】
ところで、旅行に関する情報を一つの旅行ごとに一括管理して記録するフォトアルバム付き手帳の発明がある。
【特許文献１】特開平８−１１８８４５号公報
【考案の開示】
【考案が解決しようとする課題】
【０００５】
上記のとおり、親にとって大切な誕生前後から７歳前後までの子の成長の記録を簡潔に整理するものがなく、不便であった。
そこで、本考案の目的は、子の成長の記録を誕生前の安産祈願から七五三に至るまで、節目ごとの記録を誰でも順序だって簡単に記入し、記念の写真を添付して、整理することのできる手帳を提供することを目的とするものである。
【課題を解決するための手段】
【０００６】
上記目的を達成するために、本考案は、携帯に便利な大きさの表紙・裏表紙と、この表紙・裏表紙に綴じ込んで固着されている複数の綴じ込み頁とから構成される手帳において、綴じ込み頁の見開きの２枚の頁にわたって、子の誕生前後から７歳前後までの間の各願い事、祝事のうちの一つの願い事、あるいは祝い事について、写真貼付欄、出来事・感想記載欄が設けられ、その願い事、あるいは祝事の言われが記載されており、子の成長の順に写真と記録を整理することができるようになっている構成とした。
【考案の効果】
【０００７】
本考案の手帳は、子の成長の記録を誕生前の安産祈願から七五三に至るまで、節目ごとに誰でも順序だって簡単に記入し、記念の写真を添付するとともに親の願いを託すことができる、という利点がある。
【考案を実施するための最良の形態】
【０００８】
以下、本考案の実施の形態について図面を参照して説明する。
図１〜図５は本考案に係る手帳を示す図である。この手帳は、その内部を構成する８枚の紙片の上に表紙と裏表紙を構成する一枚の紙片を載せ、それを左右の中心線上の２箇所でホッチキス止めをし、その中心線上で山折りして作成される。
図1はこの手帳の表紙及び裏表紙を示す図、図２は手帳の表紙を開いて１、２頁を見開きとした図、図３は「安産祈願用欄」（３〜４頁）を左右見開きとした図、図４は写真貼付用の頁（９〜１０、１３〜１４、２１〜２２、２５〜２６頁）を左右見開きとした図、図５は「お母さんの願い欄」（２９〜３０頁）を左右見開きとした図である。
【０００９】
表紙、裏表紙はやや厚手の紙片であり、表紙には、図１右図に示すように、「おまいり手帳」のタイトル、「水天宮の社殿」、安産の象徴である「犬」、及び「願掛け鈴」が描かれており、裏表紙（図１左図）には、中央部に安産の象徴である「犬の家族」と「願掛け鈴」が描かれており、その下には、父、母、子の氏名の記載欄が設けられている。
【００１０】
図２は表紙を開いた１、２頁を左右見開き状態で示したもので、１頁目（左図）には水天宮の写真と水天宮からのメッセージが記載されており、２頁目（右図）には子の写真貼付欄２があり、その下に、撮影日、誕生日、命名を記入できるようにしている。
【００１１】
図３は、３、４頁を示す図である。３頁目（左図）には、出産前に女性が安産祈願をしたときの写真を貼る欄２が設けられており、その下に撮影年月日が記載できるようになっている。
また、４頁目（右図）には、安産祈願をしたときの状況と感想の記載欄３とその下に安産祈願の言われについての説明が記載された欄４が設けられている。
【００１２】
その他の頁には、図４に示すように、左右の頁に自由に記念写真を貼り付けることのできる欄が設けられているもの、図５に示すように、左右の頁が「お母さんのお願い」欄となっており、左の頁に母と子の写真を貼り付けることのできる欄２、右の頁に、子を「はじめてみたときの感想」、「どんな大人になってほしい？」、「お母さんと約束してほしいことは？」との文言が記載された母の子への思いを記入する欄と、子へのメッセージの記入欄５が設けられ、記入した年月日、及びそのときの子の歳も記入できるようになっている。
このようにして、後に子が大きくなったときに自分が生まれたときに母親がどんな気持ちでいたかを知ることができるようにした。
【００１３】
なお、図１〜５は手帳の一部を示しており、実際の手帳には、その他の行事として、「産湯」、「お七夜・命名」、「初宮」、「お食い初め」、「初節句」、「七五三」といった一連の行事について、左の頁に子、あるいは子と家族の写真貼付欄２が設けられ、右の頁に、その行事の状況、感想の記載欄３とその行事の言われの説明が記載された欄４が設けられている。また、手帳の末尾近くに、お母さんの願い欄と同様にお父さんの願い欄も設けられている。
【００１４】
上記説明では神社として水天宮に限ったが、本考案はこれに限らず、神社を表わす神殿や神社名が記載してあればよい。
また、それぞれの行事も上記のものに限定されることはなく行事の数を増減してもよいし、それに応じて頁数を増減してもよい。また、手帳のサイズを変更することも可能である。
【図面の簡単な説明】
【００１５】
【図１】手帳の表紙及び裏表紙を示す図である。
【図２】手帳の表紙を開いて１、２頁を左右見開きとした図である。
【図３】「安産祈願用欄」（３〜４頁）を左右見開きとした図である。
【図４】記念写真貼り付け用の頁（９〜１０、１３〜１４、２１〜２２、２５〜２６頁）を左右見開きとした図である。
【図５】「お母さんの願い欄」（２９〜３０頁）を左右見開きとした図である。
【符号の説明】
【００１６】
１  手帳本体  
２  写真貼付欄  
３  出来事、感想記載欄  
４  行事の言われ説明欄  
５  メッセージ記載欄
【図１】
0003117817.tif 000003
【図２】
0003117817.tif 000004
【図３】
0003117817.tif 000005
【図４】
0003117817.tif 000006
【図５】
0003117817.tif 000007